(57)【要約】【課題】極めて簡単な機構で確実な回収ができ、しかも回収作業も容易に行うことができる光ファイバ心線屑回収装置を提供する。【解決手段】切断機Ｑに連結する枠体１０を設ける。切断機Ｑから突出する光ファイバＰの心線屑Ｐ１を挟持する上部ローラ２１及び下部ローラ２２からなる挟持ローラ２０を設ける。枠体１０の下端部に設けられ、該枠体１０の移動によって回転すると共に、前記挟持ローラ２０に連動する移動ローラ３０を設ける。該移動ローラ３０の移動に伴なって前記挟持ローラ２０で挟持した心線屑Ｐ１を前記枠体１０内に送り込むように設ける。【選択図】図１
2006043788.tif 000002
【特許請求の範囲】
【請求項１】
光ファイバを切断機で切断した際に、切断された光ファイバの心線屑を回収する光ファイバ心線屑回収装置において、切断機に連結する枠体と、切断機から突出する光ファイバの心線屑を挟持する上部ローラ及び下部ローラからなる挟持ローラと、前記枠体の下端部に設けられ、該枠体の移動によって回転すると共に、前記挟持ローラに連動する移動ローラとを設け、該移動ローラの移動に伴なって前記挟持ローラで挟持した心線屑を前記枠体内に送り込むように設けたことを特徴とする光ファイバ心線屑回収装置。
【請求項２】
前記枠体は、前記挟持ローラに挟持した心線屑の先端方向に延長された略筒状を成し、該枠体を下方に傾斜させたときに、該移動ローラが前記切断機の支点になる位置に移動ローラを配置した請求項１記載の光ファイバ心線屑回収装置。
【請求項３】
前記移動ローラと前記下部ローラとを上下動自在に設け、前記挟持ローラ内に前記切断機から突出する光ファイバの先端部分を挿入する際に挟持ローラの間隔が広くなるように設定すると共に、前記枠体を下方へ傾斜させたときに該移動ローラと前記下部ローラとが上へ移動し、挟持ローラが心線屑を挟持するように設けた請求項１又は２記載の光ファイバ心線屑回収装置。
【発明の詳細な説明】
【技術分野】
【０００１】
本発明は、光ファイバケーブル（以下、光ファイバと称する）の心線屑を回収する光ファイバ心線屑回収装置に係り、光ファイバ切断機で切り落とされた光ファイバ心線屑を回収する際の操作が容易な光ファイバ心線屑回収装置に関する。
【背景技術】
【０００２】
従来、この種の光ファイバ心線屑回収装置として、例えば特許文献１乃至３に記載された回収装置が提案されている。
【０００３】
特許文献１の光ファイバ心線屑回収装置は、光ファイバを切断した際の心線屑を確実に回収できるように工夫されたものである。そのため特許文献１では、上部ローラと前記下部ローラとによる心線屑の挟持を可能にする係止部を有する装置を設けている。光ファイバがカッタによって切断された後、回転操作つまみを操作して上下のローラを回転させることで心線屑を投入箱部内に投入するものである。
【０００４】
特許文献２の心線屑収納ボックスは、台座面上の心線屑を容易に集めることができるようにしたもので、光ファイバ心線の端部を支持する台座面に、心線屑収納ボックスを取り付け、台座面上の心線屑を掃くブラシを着脱自在に固定するためのブラシホルダを備えたものである。心線屑を掃除する際は、まず、心線屑収納ボックスのブラシホルダに固定されたブラシを上方に引き抜いて取り外し、このブラシを用いて台座面上の心線屑を掃いて収納する。
【０００５】
また、特許文献３は、光ファイバ用カッタのクランプを開くと共に光ファイバの心線屑が回収できるようにした光ファイバカッタに関する発明である。この特許文献３では、心線屑を保持してクランプから離反する方向に送り出す回転ローラと、前記クランプの開放動作に回転ローラの回転を連動させる連動機構とを具えた切り屑回収機構を設けている。この切り屑回収機構によると、クランプの開放動作を回転ローラの回転動作に連動せしめることで、光ファイバ切断後に、クランプを開放すると同時に回転ローラも回転し、心線屑が切り屑回収機構内に投入されるものである。
【特許文献１】特開平１０−２２１５３１号公報
【特許文献２】特開平１０−３２５９０９号公報
【特許文献３】特開２００１−２９６４３１号公報
【発明の開示】
【発明が解決しようとする課題】
【０００６】
特許文献１乃至特許文献３に記載されている従来の回収装置では、回収作業に多くの手間を要するか、あるいは、自動回収するために回収装置の構造が極めて複雑になるといった課題が残されていた。
【０００７】
すなわち、特許文献１の光ファイバ心線屑回収装置は、押え蓋と蓋体とを完全に閉じた後に、光ファイバを切断し、その後、回転操作つまみを介して上下のローラを回転させることで投入箱部内に切り離された心線屑を投入する回収装置であるから、作業員は、回収装置を使用する為に、切断前と切断後の操作が必要になっている。しかも、切断後の作業は回収装置の回転操作つまみを操作して、心線屑を屑受けガイドに送り出し、更に投入箱部に投入することになる。したがって、切断後の心線屑が投入箱部に投入されるまで、回転操作つまみを確実に回転させる必要があると共に、心線屑が投入箱部に投入されたことを確認する必要があった。仮に、屑受けガイド上に心線屑が残っていた場合は、心線屑が回収されずに紛失する虞もあり、安全性にも課題を残すものである。
【０００８】
また、特許文献２に記載の心線屑回収ボックスでは、心線屑を掃除する際に、ブラシを用いて台座面上の心線屑を掃く作業になるので、この作業を誤ると心線屑が散逸する虞もある。したがって、特許文献１の回収装置と同様に、心線屑を心線屑収納ボックスの内部に確実に収納するまで多くの注意を払う必要があった。しかも、心線屑がブラシの毛に絡まる虞もあるなど、安全性の課題も残されている。
【０００９】
一方、特許文献３は、光ファイバ切断後に、クランプを開放すると同時に回転ローラも回転し、心線屑をクランプから離反する方向に送り出して切り屑回収機構内に投入させる構成を採用しているので、心線屑を自動的に回収できる利点がある。しかしながら、心線屑を自動回収するために、光ファイバカッタと回収装置とを一体に設ける必要があり、また、回収装置自体が極めて複雑な機構になる不都合が生じていた。すなわち、特許文献３における自動回収機構は、光ファイバカッタで用いるクランプの開放に連動して切り屑回収機構の下ローラが回転するものである。そのため、蓋部の開閉に伴う円弧運動を下ローラの回転運動として伝達するように設け、蓋部の端面にはピンを突出している。一方、外ケースに隣接して伝達機構収納ケースが配置され、この収納ケース内には所定の範囲で回転するレバーが軸支される。このレバーの先端部は伝達機構収納ケースから突出すると共に長孔が形成され、前記ピンがレバーの長孔にはめ込まれている。更に、伝達機構収納ケース内において、レバーの回転軸には第一ギアが装着され、順次第二ギア、クラウンギア、第三ギアと噛合される。そして、この第三ギアの回転軸に下ローラが装着され、裸光ファイバの切断後に蓋部を開放すると、レバーの回転に伴って下ローラが回転され、切り屑が内ケースに向かって送られる機構になっている。しかも、蓋部を閉じたときに切り屑が再度クランプ側に引き戻されることを回避するために、第一ギアの回転軸にワンウェイクラッチを装着し、蓋部の開放動作のときのみ第一ギアを回転させ、蓋部の閉じ動作に対しては第一ギア回転させないように構成する必要がある。このように、特許文献３によると、光ファイバカッタと回収機構とを一体に設ける必要があると共に、回収機構自体が極めて複雑な機構になるので、極めて高額の製造コストを要するものになっている。しかも、心線屑の回収作業は容易でも、回収装置のメンテナンスに多くの手間を要する不都合も生じる。
【００１０】
このように、従来の心線屑回収装置では、回収作業に多くの手間を要するか、あるいは、自動回収するために回収装置が極めて複雑な機構になっていた。そこで、本発明は上述の課題を解消すべく創出されたもので、極めて簡単な機構で確実な回収ができ、しかも回収作業も容易に行うことができる光ファイバ心線屑回収装置の提供を目的とするものである。
【課題を解決するための手段】
【００１１】
本発明の第１の手段は、光ファイバＰを切断機Ｑで切断した際に、切断された光ファイバＰの心線屑Ｐ１を回収する光ファイバ心線屑回収装置において、切断機Ｑに連結する枠体１０と、切断機Ｑから突出する光ファイバＰの心線屑Ｐ１を挟持する上部ローラ２１及び下部ローラ２２からなる挟持ローラ２０と、前記枠体１０の下端部に設けられ、該枠体１０の移動によって回転すると共に、前記挟持ローラ２０に連動する移動ローラ３０とを設け、該移動ローラ３０の移動に伴なって前記挟持ローラ２０に挟持した心線屑Ｐ１を前記枠体１０内に送り込むように設けたことにある。
【００１２】
第２の手段において、前記枠体１０は、前記挟持ローラ２０に挟持した心線屑Ｐ１の先端方向に延長された略筒状を成し、該枠体１０を下方に傾斜させたときに、該移動ローラ３０が前記切断機Ｑの支点になる位置に移動ローラ３０を配置している。
【００１３】
第３の手段は、前記移動ローラ３０と前記下部ローラ２２とを上下動自在に設け、前記挟持ローラ２０内に前記切断機Ｑから突出する光ファイバＰの先端部分を挿入する際に挟持ローラ２０の間隔が広くなるように設定すると共に、前記枠体１０を下方へ傾斜させたときに該移動ローラ３０と前記下部ローラ２２とが上へ移動し、挟持ローラ２０が心線屑Ｐ１を挟持するように設けたことを課題解消のための手段とする。
【００１４】
本発明によると、切断機Ｑにて光ファイバＰを切断する際に、光ファイバＰの先端部は挟持ローラ２０の間に挿入される。切断機Ｑにて光ファイバＰが切断され、光ファイバＰの先端が心線屑Ｐ１となった後は、挟持ローラ２０が心線屑Ｐ１を挟持すると共に、移動ローラ３０の回転に伴なって、挟持ローラ２０から連結金具１０内部に心線屑Ｐ１が送り込まれるものである。
【発明の効果】
【００１５】
本発明によると、切断機Ｑに連結する枠体１０と、切断機Ｑから突出する光ファイバＰの心線屑Ｐ１を挟持する上部ローラ２１及び下部ローラ２２からなる挟持ローラ２０と、前記枠体１０の下端部に設けられ、該枠体１０の移動によって回転すると共に、前記挟持ローラ２０に連動する移動ローラ３０とを設け、該移動ローラ３０の移動に伴なって前記挟持ローラ２０に挟持した心線屑Ｐ１を前記枠体１０内に送り込むように設けたことにより、極めて簡単な機構でも心線屑Ｐ１を確実に回収できるものである。しかも、移動ローラ３０の移動に伴なって心線屑Ｐ１を前記枠体１０内に送り込むので、一定の距離を移動することで、心線屑Ｐ１が枠体１０内に収納されたことを確認することができる。
【００１６】
また、前記枠体１０は、前記挟持ローラ２０に挟持した心線屑Ｐ１の先端方向に延長された略筒状を成し、該枠体１０を下方に傾斜させたときに、前記切断機Ｑの支点になる位置に移動ローラ３０を配置しているから、回収作業は枠体１０上に手を置いて移動するだけの極めて簡単な作業になっている。
【００１７】
しかも、前記移動ローラ３０と前記下部ローラ２２とを上下動自在に設け、前記挟持ローラ２０内に前記切断機Ｑから突出する光ファイバＰの先端部分を挿入する際に挟持ローラ２０の間隔を広くなるように設定しているから、挟持ローラ２０の間に光ファイバＰの先端を挿入する作業も容易に行える。
【００１８】
更に、前記枠体１０を下方へ傾斜させたときに前記移動ローラ３０と前記下部ローラ２２とが上へ移動し、挟持ローラ２０が心線屑Ｐ１を挟持するように設けているので、作業員は簡単な操作で心線屑Ｐ１を確実に回収することができる。
【００１９】
このように本発明によると、極めて簡単な機構で確実な回収ができ、しかも回収作業も容易に行うことができるなどといった有益な種々の効果を奏するものである。
【発明を実施するための最良の形態】
【００２０】
本発明を実施するための最良の形態は、切断機Ｑに連結する枠体１０と、切断機Ｑから突出する光ファイバＰの心線屑Ｐ１を挟持する上部ローラ２１及び下部ローラ２２からなる挟持ローラ２０とを設ける。枠体１０の下端部に設けられ、該枠体１０の移動によって回転すると共に、挟持ローラ２０に連動する移動ローラ３０とを設ける。移動ローラ３０の移動に伴なって挟持ローラ２０に挟持した心線屑Ｐ１を枠体１０内に送り込むように設ける。枠体１０は、挟持ローラ２０に挟持した心線屑Ｐ１の先端方向に延長された略筒状を成す。枠体１０を下方に傾斜させたときに、該移動ローラ３０が切断機Ｑの支点になる位置に移動ローラ３０を配置する。移動ローラ３０と下部ローラ２２とを上下動自在に設ける。挟持ローラ２０内に切断機Ｑから突出する光ファイバＰの先端部分を挿入する際に挟持ローラ２０の間隔が広くなるように設定する。枠体１０を下方に傾斜させたときに、移動ローラ３０と下部ローラ２２とが上へ移動し、挟持ローラ２０が心線屑Ｐ１を挟持するように設ける。
【実施例】
【００２１】
本発明回収装置は、枠体１０、挟持ローラ２０、移動ローラ３０を基本構成とする。
【００２２】
枠体１０は、切断機Ｑに連結するもので、切断した心線屑Ｐ１を収納する。そして切断機Ｑ側に挟持ローラ２０及び移動ローラ３０を設けている(図１、図３参照)。図示の枠体１０は、略筒状を成し、挟持ローラ２０に挟持した心線屑Ｐ１の先端方向に延長されている。枠体１０を使用する際は、枠体１０の開放端部に、例えば弾性材の蓋体１１を装着する。また、枠体１０と切断機Ｑとの連結手段として、連結ボルト１４を使用しているが、切断機Ｑの各種構造に適合した種々の連結手段を用いることができる。
【００２３】
切断機Ｑに対する枠体１０の装着位置は、切断機Ｑにて光ファイバＰを切断する際に、切断機Ｑに略水平になるように装着されている(図１参照)。そして、心線屑Ｐ１を回収する際に、後述する移動ローラ３０を支点として枠体１０を下方へ傾斜せしめるものである(図１０参照)。その為、枠体１０の形状は、枠体１０上に片手を載せることで枠体１０が容易に傾斜する長さに設定している。
【００２４】
挟持ローラ２０は、上部ローラ２１と下部ローラ２２とからなり、枠体１０の切断機Ｑ側に設けられている(図３参照)。この挟持ローラ２０により、切断前の光ファイバＰ先端部を保持し、切断後に心線屑Ｐ１となった部分を挟持するもので、後述する移動ローラ３０の回転に伴なって、前記枠体１０の内部に心線屑Ｐ１を送り込む。その為、挟持ローラ２０は心線屑Ｐ１の挟着力を確実にする弾性材の使用が望ましい。
【００２５】
このとき、下部ローラ２２を上下動自在に設け、挟持ローラ２０内に光ファイバＰの先端部分を挿入する際に、下部ローラ２２の自重で挟持ローラ２０の間隔が広くなるように設定している(図６参照)。また、この下部ローラ２２は、後述する移動ローラ３０の押圧力で上部へ移動するように設けてあり、移動した下部ローラ２２と上部ローラ２１との間に心線屑Ｐ１を挟持するものである(図９参照)。
【００２６】
図示の挟持ローラ２０は、上部ローラ２１を枠体１０の上部挿通孔１２に挿通して上部ローラ２１の回転位置を一定にすると共に、下部ローラ２２をスライド長孔１３に上下スライド自在に装着している(図１、図２参照)。下部ローラ２２をこのように装着することで、光ファイバＰ切断時には、下部ローラ２２が自重で下に移動しているので、上部ローラ２１と下部ローラ２２との間隔が広くなり、光ファイバＰ先端部の挿入作業を容易にすることができる(図６参照)。
【００２７】
移動ローラ３０は、前記枠体１０の下端部に設けられたもので、枠体１０の移動によって回転する(図３、図４、図５参照)。この移動ローラ３０は、前記挟持ローラ２０に連動し、移動ローラ３０の回転移動に伴なって前記挟持ローラ２０に挟持した心線屑Ｐ１を前記枠体１０内に送り込むように設けている(図１０参照)。その為、前述の如く枠体１０を下方に傾斜させたときに、該移動ローラ３０が前記切断機Ｑの支点になる位置に配置する。
【００２８】
すなわち、切断機Ｑの支点になる位置とは、枠体１０を傾斜させた際に、移動ローラ３０を支点として前記切断機Ｑが持ち上がる位置である(図９参照)。この位置に移動ローラ３０を配置することで、枠体１０を下方に押圧して枠体１０が傾斜すると、移動ローラ３０を支点として切断機Ｑが持ち上がり、枠体１０の移動作業を容易にすることができる(図１０参照)。この際、枠体１０の長さを十分に長く設けることにより、比較的重い切断機Ｑでも容易に持ち上げることが可能になる。
【００２９】
更に、この移動ローラ３０は、前記下部ローラ２２と同様に、上下動自在に設けられている。そして、枠体１０を傾斜させたときに、切断機Ｑの支点となった移動ローラ３０が枠体１０の上がわへ移動し、下部ローラ２２と上部ローラ２１とを押圧するものである。図示の移動ローラ３０は、下部ローラ２２と同様に枠体１０に設けたスライド長孔１３に上下スライド自在に装着している(図１参照)。移動ローラ３０が上へスライド移動すると、下部ローラ２２を上方へ押圧し、上部ローラ２１と下部ローラ２２との間に保持していた心線屑Ｐ１を強力に挟持するものとなる(図９参照)。この状態で枠体１０を切断機Ｑ方向に移動させると、移動ローラ３０の回転が挟持ローラ２０に連動し、心線屑Ｐ１を枠体１０の内部に送り込むものである(図１０参照)。
【００３０】
次に図６乃至図１０を参照して、本発明の使用方法を説明する。ここでは、２本のクランプＱ１で光ファイバＰを固定し、これらクランプＱ１の間に設置したカッターＱ２にて光ファイバＰを切断するタイプの切断機Ｑを使用した例で説明する。
【００３１】
まず、光ファイバＰを切断機Ｑにセットし、クランプＱ１で固定する(図６参照)。次に、固定された光ファイバＰをカッターＱ２にて切断したあと(図７参照)、切断した光ファイバＰを切断機Ｑから取外す(図８参照)。このとき、枠体１０がわのクランプＱ１はそのまま固定しておく。この状態で枠体１０を傾斜させて移動ローラ３０の押圧力で挟持ローラ２０内の心線屑Ｐ１を挟持する(図９参照)。そして、心線屑Ｐ１を固定していたクランプＱ１を解除して枠体１０を切断機Ｑ方向に移動する(図１０参照)。この枠体１０の移動により、挟持ローラ２０に挟着した心線屑Ｐ１を枠体１０の内部に送り込むものである。
【００３２】
尚、本発明回収装置に示す実施例は図示例に限られるものではなく、枠体１０を装着する切断機Ｑはどのようなものでもよい。また、本発明回収装置の各構成における設計変更は自由であり、枠体１０、挟持ローラ２０、移動ローラ３０の形状、寸法等の設計変更、材質の転換及び形態の変更など、現在知られている技術範囲で自由に変更することができるものである。
【図面の簡単な説明】
【００３３】
【図１】本発明回収装置の一実施例を示す斜視図である。
【図２】本発明回収装置の一実施例を示す平面図である。
【図３】図２で示す矢視III−III線断面図である。
【図４】本発明回収装置の一実施例を示す平面図である。
【図５】本発明回収装置の一実施例を示す側面図である。
【図６】本発明回収装置の使用例を示す要部断面図である。
【図７】本発明回収装置の使用例を示す要部断面図である。
【図８】本発明回収装置の使用例を示す要部断面図である。
【図９】本発明回収装置の使用例を示す要部断面図である。
【図１０】本発明回収装置の使用例を示す要部断面図である。
【符号の説明】
【００３４】
Ｐ  光ファイバー      Ｐ１  心線
Ｑ  切断機            Ｑ１  クランプ
Ｑ２  カッター
１０  枠体            １１  蓋体
１２  上部挿通孔
１３  スライド長孔
１４  連結ボルト
２０  挟持ローラ      ２１  上部ローラ
２２  下部ローラ
３０  移動ローラ
【図１】
2006043788.tif 000003
【図２】
2006043788.tif 000004
【図３】
2006043788.tif 000005
【図４】
2006043788.tif 000006
【図５】
2006043788.tif 000007
【図６】
2006043788.tif 000008
【図７】
2006043788.tif 000009
【図８】
2006043788.tif 000010
【図９】
2006043788.tif 000011
【図１０】
2006043788.tif 000012